(57)【特許請求の範囲】
【請求項１】
蒸発器と、膨張機と、凝縮器と、圧送部と、当該蒸発器、膨張機、凝縮器および圧送部の間で作動媒体を循環させる循環流路とを有する排熱回収システムであって、
前記循環流路に接続され、前記圧送部から送出された作動媒体の一部を分流して前記凝縮器に流入させるための冷却媒体配管と、
前記冷却媒体配管へ作動媒体が流入可能な状態と流入できない状態とを切り換える切換部と、
前記切換部の切換制御をする制御部と、
を備えており、
前記制御部は、前記凝縮器へ流入する作動媒体の温度が所定の温度以上に高くなる条件が成立すると、作動媒体が前記冷却媒体配管へ流入可能な状態に前記切換部を切り換える制御を行う、
ことを特徴とする排熱回収システム。
【請求項２】
前記凝縮器の入口における作動媒体の温度を検出する温度検出部をさらに備えており、
前記条件は、前記温度検出部による前記作動媒体の所定の温度以上の温度が検出されたことである、
請求項１に記載の排熱回収システム。
【請求項３】
前記蒸発器と前記凝縮器との間を前記膨張機を迂回して連通し、前記蒸発器から流出した作動媒体を前記凝縮器に送るためのバイパス配管と、
前記バイパス配管を開閉するバイパス側開閉部と
をさらに備えている、
請求項２に記載の排熱回収システム。
【請求項４】
前記蒸発器と前記凝縮器との間を前記膨張機を迂回して連通し、前記蒸発器から流出した作動媒体を前記凝縮器に送るためのバイパス配管と、
前記バイパス配管を開閉するバイパス側開閉部と
をさらに備えており、
前記条件は、前記バイパス側開閉部が開いたことである、
請求項１に記載の排熱回収システム。
【請求項５】
前記蒸発器と前記凝縮器との間を前記膨張機を迂回して連通し、前記蒸発器から流出した作動媒体を前記凝縮器に送るためのバイパス配管と、
前記バイパス配管を開閉するバイパス側開閉部と、
前記凝縮器の入口における作動媒体の温度を検出する温度検出部と、
をさらに備え、
前記条件は、前記バイパス側開閉部が開き、かつ、前記温度検出部が前記作動媒体の温度が所定の温度以上であることを検出したことである、
請求項１に記載の排熱回収システム。
【請求項６】
前記条件は、前記排熱回収システムが運転停止することである、
請求項１に記載の排熱回収システム。
【請求項７】
前記蒸発器の出口側の作動媒体の圧力を検出する蒸発器出口側圧力検出部をさらに備えており、
前記条件は、前記蒸発器出口側圧力検出部による前記蒸発器の出口側の作動媒体の所定の圧力以上の圧力を検出したことである、
請求項１に記載の排熱回収システム。
【請求項８】
前記膨張機の出口側の作動媒体の圧力を検出する膨張機出口側圧力検出部をさらに備えており、
前記条件は、前記膨張機出口側圧力検出部による前記膨張機の出口側の作動媒体の所定の圧力以上の圧力を検出したことである、
請求項１に記載の排熱回収システム。
【発明の詳細な説明】
【技術分野】
【０００１】
本発明は、排熱回収システムに関する。
【背景技術】
【０００２】
従来、エンジンなどから発生する排熱を回収する排熱回収システムが種々提案されている。
【０００３】
特許文献１記載の排熱回収システムは、加熱媒体と作動媒体とを熱交換させて当該作動媒体を蒸発させる蒸発器と、蒸発器で蒸発した作動媒体を膨張させて回転エネルギーを得る膨張機と、回転エネルギーを他のエネルギーに変換して動力を回収する発電機などの動力回収機と、膨張機から流出した作動媒体を凝縮させる凝縮器とを備えている。作動媒体は、蒸発器、膨張機、および凝縮器の間を循環流路を通して循環することが可能である。
【０００４】
また、この排熱回収システムは、膨張機を迂回して蒸発器と凝縮器との間をつなぐバイパス配管と、このバイパス配管を開閉する開閉弁と、膨張機の入口側を開閉する閉鎖弁とをさらに備えている。
【０００５】
排熱回収システムが緊急停止をする場合などでは、膨張機の入口側の閉鎖弁を閉じ、バイパス配管の開閉弁を開くことにより、蒸発器から出た高温の作動媒体が膨張機へ流入することを防ぎ、バイパス配管を通して膨張機の下流側へ迂回させることが可能である。
【先行技術文献】
【特許文献】
【０００６】
【特許文献１】特開２０１５−２００１８２号公報
【発明の概要】
【発明が解決しようとする課題】
【０００７】
しかし、上記の排熱回収システムでは、バイパス配管の開閉弁を開いたときに、バイパス配管を通して膨張機の下流側へ迂回させた高温の作動媒体が凝縮器に流入するので、凝縮器が作動媒体の熱によって劣化や破損するおそれがある。
【０００８】
本発明は、上記のような事情に鑑みてなされたものであり、凝縮器が作動媒体の熱によって劣化や破損することを防ぐことが可能な排熱回収システムを提供することを目的とする。
【課題を解決するための手段】
【０００９】
上記課題を解決するためのものとして、本発明の排熱回収システムは、蒸発器と、膨張機と、凝縮器と、圧送部と、当該蒸発器、膨張機、凝縮器および圧送部の間で作動媒体を循環させる循環流路とを有する排熱回収システムであって、前記循環流路に接続され、前記圧送部から送出された作動媒体の一部を分流して前記凝縮器に流入させるための冷却媒体配管と、前記冷却媒体配管へ作動媒体が流入可能な状態と流入できない状態とを切り換える切換部と、前記切換部の切換制御をする制御部と、を備えており、前記制御部は、前記凝縮器へ流入する作動媒体の温度が所定の温度以上に高くなる条件が成立すると、作動媒体が前記冷却媒体配管へ流入可能な状態に前記切換部を切り換える制御を行うことを特徴とする。
【００１０】
かかる構成によれば、凝縮器へ流入する作動媒体の温度が所定の温度以上に高くなる条件が成立すると、制御部は、作動媒体が冷却媒体配管へ流入可能な状態に切換部を切り換える制御を行う。これにより、循環流路における蒸発器によって加熱される前の低温の作動媒体が、冷却媒体配管を通って蒸発器から出た高温の作動媒体に合流して当該高温の作動媒体を冷却するので、凝縮器が作動媒体の熱によって劣化や破損するおそれを低減することが可能である。
【００１１】
前記凝縮器の入口における作動媒体の温度を検出する温度検出部をさらに備えており、  前記条件は、前記温度検出部による前記作動媒体の所定の温度以上の温度が検出されたことであるのが好ましい。
【００１２】
かかる構成によれば、蒸発器によって加熱された作動媒体が凝縮器の入口に到達したときに、当該作動媒体の温度は、温度検出部によって検出される。検出された温度が所定の温度以上である場合には、制御部は、作動媒体が冷却媒体配管へ流入可能な状態に切換部を切り換える制御を行う。これにより、蒸発器によって加熱される前の低温の作動媒体が、冷却媒体配管を通って、蒸発器から出た高温の作動媒体に合流して当該高温の作動媒体を冷却する。そのため、凝縮器が作動媒体の熱によって劣化や破損するおそれを低減することが可能である。
【００１３】
前記蒸発器と前記凝縮器との間を前記膨張機を迂回して連通し、前記蒸発器から流出した作動媒体を前記凝縮器に送るためのバイパス配管と、前記バイパス配管を開閉するバイパス側開閉部とをさらに備えているのが好ましい。
【００１４】
上記のように蒸発器と凝縮器との間に膨張機を迂回するバイパス配管を有する構成において、温度検出部で検出される作動媒体の温度が所定の温度以上である場合には、制御部は切換部を作動媒体が冷却媒体配管へ流入可能な状態に切り換える制御を行う。これにより、蒸発器から出た高温の作動媒体が、膨張機を迂回するバイパス配管を通って凝縮器に高温のまま到達した場合でも、冷却媒体配管を通って凝縮器に流入する低温の作動媒体によって冷却される。したがって、バイパス配管を有する構成においても、凝縮器が作動媒体の熱によって劣化や破損するおそれを確実に低減することが可能である。
【００１５】
前記蒸発器と前記凝縮器との間を前記膨張機を迂回して連通し、前記蒸発器から流出した作動媒体を前記凝縮器に送るためのバイパス配管と、前記バイパス配管を開閉するバイパス側開閉部とをさらに備えており、前記条件は、前記バイパス側開閉部が開いたことであってもよい。
【００１６】
排熱回収システムにおける運転立ち上げ時、停止動作時、または緊急停止時などでは、バイパス側開閉部が開くことによって膨張機を迂回するバイパス配管を導通可能にした運転（いわゆるバイパス運転）の状態になる。この場合、蒸発器で加熱されて高温になった作動媒体がバイパス配管を通って高温のまま凝縮器へ流入される可能性が高い。そこで、この構成では、制御部は、バイパス側開閉部が開くときに、作動媒体の温度に関わらず、作動媒体が冷却媒体配管へ流入可能な状態に切換部を切り換える制御を行う。これにより、蒸発器で加熱される前の低温の作動媒体が冷却媒体配管を通って凝縮器へ導入される作動媒体に合流して当該作動媒体を冷却するので、凝縮器が作動媒体の熱によって劣化や破損するおそれを確実に低減することが可能である。
【００１７】
前記蒸発器と前記凝縮器との間を前記膨張機を迂回して連通し、前記蒸発器から流出した作動媒体を前記凝縮器に送るためのバイパス配管と、前記バイパス配管を開閉するバイパス側開閉部と、前記凝縮器の入口における作動媒体の温度を検出する温度検出部と、をさらに備え、前記条件は、前記バイパス側開閉部が開き、かつ、前記温度検出部が前記作動媒体の温度が所定の温度以上であることを検出したことであってもよい。
【００１８】
かかる構成によれば、バイパス側開閉部が開いて、蒸発器で加熱された作動媒体が膨張機を迂回するバイパス配管を通って凝縮器へ流入されるバイパス運転を行っているときに、凝縮器の入口における当該作動媒体の温度が所定の温度以上になった場合には、制御部は、作動媒体が冷却媒体配管へ流入可能な状態に切換部を切り換える制御を行う。これにより、バイパス配管を通って凝縮器へ流入される作動媒体が高温の場合には、冷却媒体配管を通って凝縮器に流入される低温の作動媒体によって冷却される。その結果、バイパス運転時において凝縮器が作動媒体の熱によって劣化や破損するおそれを確実に低減することが可能である。
【００１９】
前記条件は、前記排熱回収システムが運転停止することであってもよい。
【００２０】
かかる構成によれば、緊急停止時などの場合に圧送部の駆動を停止して排熱回収システムの運転を停止するときには、凝縮器へ流入する作動媒体の温度が所定の温度以上に高くなるおそれがある。そこで、制御部は、排熱回収システムの運転停止時に、作動媒体が冷却媒体配管へ流入可能な状態に切換部を切り換える制御を行う。これにより、運転停止時に、凝縮器に導入される作動媒体は、冷却媒体配管を通って凝縮器に流入される低温の作動媒体によって冷却される。その結果、排熱回収システムの運転停止時において凝縮器が作動媒体の熱によって劣化や破損するおそれを確実に低減することが可能である。
【００２１】
前記蒸発器の出口側の作動媒体の圧力を検出する蒸発器出口側圧力検出部をさらに備えており、前記条件は、前記蒸発器出口側圧力検出部による前記蒸発器の出口側の作動媒体の所定の圧力以上の圧力を検出したことであってもよい。
【００２２】
かかる構成によれば、蒸発器によって加熱された作動媒体の温度が所定の温度以上に上昇したときには、当該作動媒体の圧力も所定の圧力以上に上昇する。そこで、この構成では、作動媒体の温度検出の代わりに、蒸発器の出口側の作動媒体の圧力が、蒸発器出口側圧力検出部によって検出される。検出された圧力が所定の圧力以上である場合には、制御部は、作動媒体が冷却媒体配管へ流入可能な状態に切換部を切り換える制御を行う。これにより、蒸発器によって加熱される前の低温の作動媒体は、冷却媒体配管を通って凝縮器に流入する。その結果、蒸発器から出た高温の作動媒体が低温の作動媒体によって冷却されるので、凝縮器が作動媒体の熱によって劣化や破損するおそれを低減することが可能である。
【００２３】
前記膨張機の出口側の作動媒体の圧力を検出する膨張機出口側圧力検出部をさらに備えており、前記条件は、前記膨張機出口側圧力検出部による前記膨張機の出口側の作動媒体の所定の圧力以上の圧力を検出したことであってもよい。
【００２４】
膨張機の出口側の作動媒体の温度が所定の温度以上に上昇したときには、当該作動媒体の圧力も所定の圧力以上に上昇する。そこで、この構成では、作動媒体の温度検出の代わりに、膨張機の出口側の作動媒体の圧力が、膨張機出口側圧力検出部によって検出される。検出された圧力が所定の圧力以上である場合には、制御部は、作動媒体が冷却媒体配管へ流入可能な状態に切換部を切り換える制御を行う。これにより、蒸発器によって加熱される前の低温の作動媒体は、冷却媒体配管を通って、凝縮器に流入される。その結果、蒸発器から出た高温の作動媒体が低温の作動媒体によって冷却されるので、凝縮器が作動媒体の熱によって劣化や破損するおそれを低減することが可能である。
【発明の効果】
【００２５】
以上説明したように、本発明の排熱回収システムによれば、凝縮器が作動媒体の熱によって劣化や破損することを防ぐことができる。
【図面の簡単な説明】
【００２６】
【図１】本発明の一実施形態の排熱回収システムの構成の概略を示す図である。
【図２】図１のポンプの構成を示す断面図である。
【図３】図１の制御部による冷却側開閉部を開く制御の一例を示すフローチャートである。
【図４】図１の制御部による冷却側開閉部を開く制御の他の例を示すフローチャートである。
【図５】図１の制御部による冷却側開閉部を開く制御のさらに他の例を示すフローチャートである。
【図６】図１の制御部による冷却側開閉部を開く制御のさらに他の例を示すフローチャートである。
【図７】図１の制御部による冷却側開閉部を開く制御のさらに他の例を示すフローチャートである。
【図８】図１の制御部による冷却側開閉部を開く制御のさらに他の例を示すフローチャートである。
【図９】本発明の他の実施形態の排熱回収システムの構成の概略を示す図である。
【発明を実施するための形態】
【００２７】
以下、図面を参照しながら本発明の排熱回収システムの実施形態についてさらに詳細に説明する。
【００２８】
本実施形態に係る排熱回収システム１は、図１に示されるように、蒸発器２と、膨張機３と、動力回収機４と、凝縮器５と、循環ポンプ７と、予熱器１８と、循環流路６とを備えている。循環流路６は、蒸発器２、膨張機３、凝縮器５、循環ポンプ７、および予熱器１８がこの順に直列に接続されることによって作動媒体を循環させる流路を有する。
【００２９】
この排熱回収システム１は、上記の循環流路６に接続された配管として、循環ポンプ７の出口側と凝縮器５の入口側との間を連通する冷却媒体配管８と、膨張機３を迂回して蒸発器２と凝縮器５との間を連通するバイパス配管９とをさらに備えている。
【００３０】
排熱回収システム１は、さらに、作動媒体の流れを制御する弁として、循環流路６のうち膨張機３の入口側に設けられた開閉弁１１と、バイパス配管９に設けられたバイパス側開閉弁１２と、冷却媒体配管８に設けられた冷却側開閉弁１３とを備えている。
【００３１】
さらに、排熱回収システム１は、作動媒体の温度や圧力を検出するために、凝縮器５に流入される作動媒体の温度を検出する温度検出部１４と、膨張機３の出口側の作動媒体の圧力を検出する第１圧力検出部１５と、蒸発器２の出口側の作動媒体の圧力を検出する第２圧力検出部１６と、循環ポンプ７の出口側の作動媒体の圧力を検出する第３圧力検出部１７とを備えている。
【００３２】
さらに排熱回収システム１は、上記の開閉弁１１、バイパス側開閉弁１２および冷却側開閉弁１３の開閉制御を行うことが可能な制御部１０を備えている。
【００３３】
つぎに、上記の排熱回収システム１の各構成要素についてさらに詳細に説明する。
【００３４】
蒸発器２は、高熱の蒸気などの加熱媒体と液状の作動媒体とを熱交換させることによって作動媒体を加熱して蒸発（ガス化）させる。具体的には、蒸発器２は、蒸気や温水などの高熱の加熱媒体が流れる第１流路２ａと、作動媒体が流れる第２流路２ｂとを有する。本実施形態では、予熱器１８が、循環ポンプ７と蒸発器２との間に設けられている。この予熱器１８は、蒸発器２と同様な構成を有し、蒸発器２の第１流路２ａを出た高熱の加熱媒体が流れる第１流路１８ａと、蒸発器２の上流側の作動媒体が流れる第２流路１８ｂとを有する。予熱器１８は、蒸発器２の上流側において高熱の加熱媒体と作動媒体とを熱交換させることによって、作動媒体を予熱することが可能である。なお、この予熱器１８は、省略されてもよい。さらに、蒸発器２の下流側において、作動媒体をさらに過熱するために、過熱器を設けてもよい。
【００３５】
膨張機３は、循環流路６のうち蒸発器２の下流側の部位に設けられている。本実施形態では、膨張機３としては、例えば、蒸発器２から出たガス状の作動媒体の膨張エネルギーにより回転駆動されるロータを有する容積式のスクリュー膨張機などが用いられる。膨張機３では、ケーシングに形成された吸気口から前記ロータ室に供給されたガス状の作動媒体を導入してロータ室内で膨張させる。このとき発生する膨張エネルギーによってロータが回転駆動される。そして、ロータ室内で膨張することにより圧力が低下した作動媒体は、前記ケーシングに形成された排出口から循環流路６に排出される。なお、膨張機３としては、容積式のスクリュー膨張機に限らず、遠心式のものやスクロールタイプのもの等が用いられてもよい。
【００３６】
動力回収機４は、膨張機３の回転軸に接続されている。本実施形態では、動力回収機４として発電機が用いられている。この動力回収機４は、膨張機３のロータのうちに接続された回転軸を有している。動力回収機４は、前記回転軸がロータの回転に伴って回転することにより電力を発生させる。なお、動力回収機４として、発電機の他、圧縮機等が用いられてもよい。
【００３７】
凝縮器５は、循環流路６のうち膨張機３の下流側の部位に設けられている。凝縮器５は、膨張機で膨張した後のガス状の作動媒体を冷却媒体で冷却することにより凝縮（液化）させる。具体的に、凝縮器５は、水などの冷却媒体が流れる第１流路５ａと、膨張機３から流出した作動媒体が流れる第２流路５ｂとを有する。凝縮器５は、例えば、ブレージングプレート式熱交換器などが用いられる。ブレージングプレート式熱交換器は、作動媒体の流路が表面に形成された第１プレートと冷却媒体の流路が表面に形成された第２プレートとが交互に積層され、当該第１および第２プレートがパイプに貫通された状態で当該パイプにろう付けされた構造を有する。
【００３８】
循環ポンプ７は、循環流路６における凝縮器５の下流側の部位（すなわち、凝縮器５と予熱器１８との間の部位）に設けられている。循環ポンプ７は、凝縮器５で凝縮された液状の作動媒体を所定の圧力まで加圧して循環流路６における当該循環ポンプ７の下流側の予熱器１８に圧送する。
【００３９】
本実施形態では、循環ポンプ７としては、マグネットドライブ式のポンプが用いられる。具体的には、図２に示されるように、循環ポンプ７は、モータ７ａと、ケーシング７ｂと、ケーシング７ｂ内部に回転自在に収納されたインペラ７ｃと、インペラ７ｃに組み込まれた従動側永久磁石７ｄと、モータ７ａの回転軸にブラケットを介して連結された駆動側永久磁石７ｅとを備えている。モータ７ａの駆動力によって駆動側永久磁石７ｅをモータ７ａの回転軸を中心に回転させると、ケーシング７ｂ内部のインペラ７ｃは、当該インペラ７ｃに組み込まれた従動側永久磁石７ｄが駆動側永久磁石７ｅに引き寄せられる力によって回転することが可能である。この構成では、ケーシング７ｂを貫通してモータ７ａとインペラ７ｃとをつなぐ部分が不要になるので、ケーシング７ｂのシール性が向上し、媒体の漏れのおそれが低減する。なお、循環ポンプ７は、上記の構成に限定されるものではなく、他の構成、例えば、ロータが一対のギアからなるギアポンプ等であってもよい。
【００４０】
冷却媒体配管８は、循環流路６に接続され、循環ポンプ７の出口側と凝縮器５の入口側との間を連通する。冷却媒体配管８は、循環ポンプ７から送出された液状の作動媒体の一部を分流して凝縮器５に流入させる。
【００４１】
バイパス配管９は、循環流路６における蒸発器２の出口側と凝縮器５の入口側とを接続し、これにより、蒸発器２と凝縮器５との間を膨張機３を迂回して連通する。
【００４２】
開閉弁１１は、循環流路６のうち膨張機３の入口側に設けられている。開閉弁１１は、開状態と閉状態とを切り換える閉鎖弁によって構成される。なお、開閉弁１１は、膨張機３へ流入する作動媒体の流量を任意に調整可能な流量調整弁でもよい。
【００４３】
バイパス側開閉弁１２は、バイパス配管９の途中に設けられ、当該バイパス配管９を開閉するバイパス側開閉部として機能する。バイパス側開閉弁１２は、開状態と閉状態とを切り換える閉鎖弁である。バイパス側開閉弁１２は、排熱回収システム１の運転停止時（通常の停止時および緊急停止時の両方）や運転立ち上げ時などにおいて開くように制御部１０によって制御される。これにより、運転停止時や運転立ち上げ時には、バイパス配管９を通して膨張機３の下流側へ迂回させることが可能である。
【００４４】
冷却側開閉弁１３は、冷却媒体配管８に設けられ、当該冷却媒体配管８を通して凝縮器５への作動媒体の流入を可能にする状態と流入できない状態とを切り換える切換部として機能する。本実施形態では、冷却側開閉弁１３は、開状態と閉状態とを切り換える閉鎖弁によって構成される。なお、本発明の冷却側開閉弁は、冷却媒体配管８を通して凝縮器５への作動媒体の流入を可能にする状態と流入できない状態とを切り換えることが可能な構成を有していればよい。したがって、冷却側開閉弁としては、循環流路６から冷却媒体配管８が分岐する部分に設けられた三方弁を用いてもよい。
【００４５】
温度検出部１４は、凝縮器５の入口側に設けられている。温度検出部１４は、凝縮器５に流入する作動媒体の温度を検出することが可能である。
【００４６】
第１圧力検出部１５は、膨張機３の出口側に設けられ、当該膨張機３の出口側の作動媒体の圧力を検出する膨張機出口側圧力検出部として機能する。
【００４７】
第２圧力検出部１６は、蒸発器２の出口側に設けられ、当該蒸発器２の出口側の作動媒体の圧力を検出する蒸発器出口側圧力検出部として機能する。
【００４８】
第３圧力検出部１７は、循環ポンプ７の下流側に設けられ、当該循環ポンプ７の出口側の作動媒体の圧力を検出する。
【００４９】
本実施形態の排熱回収システム１は、上記のように、循環流路６に接続され、循環ポンプ７から送出された作動媒体の一部を分流して凝縮器５に流入させるための冷却媒体配管８と、冷却媒体配管８へ作動媒体が流入可能な状態と流入できない状態とを切り換える冷却側開閉弁１３と、冷却側開閉弁１３の切換制御をする制御部１０とを備えている。
【００５０】
制御部１０は、凝縮器５へ流入する作動媒体の温度が所定の温度以上に高くなる条件が成立すると、作動媒体が冷却媒体配管８へ流入可能な状態に切り換わるように冷却側開閉弁１３を制御する。すなわち、制御部１０は、冷却側開閉弁１３を開くように制御する。これにより、循環流路６における蒸発器２によって加熱される前の低温の作動媒体が、冷却媒体配管８を通って蒸発器２から出た高温の作動媒体に合流して当該高温の作動媒体を冷却するので、凝縮器５が作動媒体の熱によって劣化や破損するおそれを低減することが可能である。とくに、本実施形態のように凝縮器５が複数のプレートがパイプにろう付けされたブレージングプレート式凝縮器の構造を有している場合には、ろう付け部分が熱によって劣化や破損されるおそれを低減することが可能である。
【００５１】
冷却側開閉弁１３に対する具体的な制御としては、図３のフローチャートに示されるように、温度検出部１４が作動媒体の温度Ｔ１について所定の温度Ｔｍ以上である温度を検出した場合（ステップＳ１のＹＥＳの場合）には、制御部１０は、温度検出部１４による作動媒体の所定の温度Ｔｍ以上の温度Ｔ１の検出に基づいて、冷却側開閉弁１３を作動媒体が冷却媒体配管８へ流入可能な状態に切り換わるように、当該冷却開閉弁１３を開くように制御する（ステップＳ２）。なお、ステップＳ２の後に作動媒体の温度Ｔ１が所定の温度Ｔｍ未満まで低下したときには、制御部１０は、冷却開閉弁１３を閉じるように制御すればよい。
【００５２】
この図３のフローチャートにおける冷却側開閉弁１３の制御によれば、蒸発器２によって加熱された作動媒体が凝縮器５の入口に到達したときに、当該作動媒体の温度は、温度検出部１４によって検出される。検出された温度が所定の温度以上である場合には、制御部１０は、冷却側開閉弁１３を作動媒体が冷却媒体配管８へ流入可能な状態に切り換わるように制御、すなわち、冷却側開閉弁１３を開くように制御する。これにより、蒸発器２によって加熱される前の低温の作動媒体が、冷却媒体配管８を通って、蒸発器２から出た高温の作動媒体に合流して当該高温の作動媒体を冷却する。そのため、凝縮器５が作動媒体の熱によって劣化や破損するおそれを低減することが可能である。
【００５３】
とくに、蒸発器２から出た高温の作動媒体が、膨張機３を迂回するバイパス配管９を通って凝縮器５の上流側に高温のまま到達した場合でも、冷却媒体配管８を通って凝縮器５に流入される低温の作動媒体によって冷却される。したがって、図１のようにバイパス配管９を有する構成の排熱回収システム１においても、凝縮器５が作動媒体の熱によって劣化や破損するおそれを確実に低減することが可能である。
【００５４】
ここで、凝縮器５へ流入する作動媒体の温度が所定の温度以上に高くなる条件は、以下の場合などで成立すると考えられる。
【００５５】
（１）バイパス側開閉弁１２が開いた場合
（２）バイパス側開閉弁１２が開き、かつ、検出された温度が所定の温度以上である場合
（３）排熱回収システム１の運転停止時の場合
（４）蒸発器２の出口側の作動媒体の圧力が所定の圧力以上の場合
（５）膨張機３の出口側の作動媒体の圧力が所定の圧力以上の場合
そこで、本発明の他の実施形態では、上記の（１）〜（５）のそれぞれの場合において、冷却側開閉弁１３を開く制御が行われる。以下、上記の（１）〜（５）のそれぞれの場合についての制御を順に説明する。
【００５６】
（１）バイパス側開閉弁１２が開いた場合における冷却側開閉弁１３を開く制御
排熱回収システム１における運転立ち上げ時、停止動作時、または緊急停止時などでは、バイパス側開閉弁１２が開くことによって膨張機３を迂回するバイパス配管９を導通可能にした運転（いわゆるバイパス運転）の状態になる。この場合、蒸発器２で加熱されて高温になった作動媒体がバイパス配管９を通って高温のまま凝縮器５へ流入される可能性が高い。そこで、上記のように排熱回収システム１がバイパス配管９およびバイパス側開閉弁１２を備えた構成において、制御部１０は、バイパス側開閉弁１２が開くときに、作動媒体が冷却媒体配管８へ流入可能な状態に冷却側開閉弁１３を切り換える制御を行う。
【００５７】
具体的には、図４に示されるフローチャートのように、制御部１０は、まず、バイパス側開閉弁１２を開くように制御し（ステップＳ１１）、ついで、冷却側開閉弁１３を開くように制御する（ステップＳ１２）。
【００５８】
上記の制御では、制御部１０は、バイパス側開閉弁１２が開くときに、作動媒体の温度に関わらず、冷却側開閉弁１３を作動媒体が冷却媒体配管８へ流入可能な状態に切り換える制御を行う。これにより、蒸発器２で加熱される前の低温の作動媒体が冷却媒体配管８を通って凝縮器へ導入される作動媒体に合流して当該作動媒体を冷却するので、凝縮器５が作動媒体の熱によって劣化や破損するおそれを確実に低減することが可能である。
【００５９】
（２）バイパス側開閉弁１２が開き、かつ、検出された温度が所定の温度以上である場合における冷却側開閉弁１３を開く制御
図４のフローチャートの変形例として、制御部１０は、バイパス側開閉弁１２が開き、かつ、温度検出部１４が作動媒体の温度が所定の温度以上であることを検出した場合に、作動媒体が冷却媒体配管８へ流入可能な状態に冷却側開閉弁１３を切り換える制御を行うようにしてもよい。
【００６０】
具体的には、図５に示されるフローチャートのように、制御部１０は、まず、バイパス側開閉弁１２を開くように制御し（ステップＳ２１、）温度検出部１４が作動媒体の温度Ｔ１について所定の温度Ｔｍ以上である温度を検出した場合（ステップＳ２２のＹＥＳの場合）には、冷却側開閉弁１３を開くように制御する（ステップＳ２３）。
【００６１】
すなわち、バイパス側開閉弁１２が開いて、蒸発器２で加熱された作動媒体が膨張機３を迂回するバイパス配管９を通って凝縮器５へ流入されるバイパス運転を行っているときに、凝縮器５の入口における当該作動媒体の温度が所定の温度以上になった場合には、制御部１０は、作動媒体が冷却媒体配管８へ流入可能な状態に冷却側開閉弁１３を切り換える制御を行う。これにより、バイパス配管９を通って凝縮器へ流入される作動媒体が高温の場合には、冷却媒体配管８を通って凝縮器５に流入される低温の作動媒体によって冷却される。その結果、バイパス運転時において凝縮器５が作動媒体の熱によって劣化や破損するおそれを確実に低減することが可能である。
【００６２】
しかも、バイパス配管９を通って凝縮器へ導入される作動媒体が所定の温度未満である場合には、冷却媒体配管８を通って低温の作動媒体が凝縮器５に導入されないので、運転効率の低下を抑えることが可能である。
【００６３】
（３）排熱回収システム１の運転停止時の場合における冷却側開閉弁１３を開く制御
緊急停止時などの場合に循環ポンプ７の駆動を停止して排熱回収システム１の運転を停止するときには、蒸発器２で加熱されて高温になった作動媒体がバイパス配管９を通って高温のまま凝縮器５へ流入することなどによって、凝縮器５へ流入する作動媒体の温度が所定の温度以上に高くなるおそれがある。そこで、制御部１０は、排熱回収システム１の運転停止時に、冷却側開閉弁１３を作動媒体が冷却媒体配管８へ流入可能な状態に切り換える制御を行う。
【００６４】
具体的には、図６のフローチャートに示されるように、制御部１０が運転停止信号の受信などに基づいて運転停止動作を開始したとき（ステップＳ３１）に、制御部１０は、循環ポンプ７に対して停止指令を与え（ステップＳ３２）、バイパス側開閉弁１２を開けるように制御して（ステップＳ３３）作動媒体がバイパス配管９を通るバイパス運転を開始する。停止指令を受けた循環ポンプ７が徐々に駆動を停止している間、制御部１０は、冷却側開閉弁１３を作動媒体が冷却媒体配管８へ流入可能な状態に切り換わるように、当該冷却側開閉弁１３を開くように制御する（ステップＳ３４）。そして、冷却側開閉弁１３を開いてから一定時間経過後に、制御部１０は、まず、バイパス側開閉弁１２を閉じ（ステップＳ３５）、ついで、開閉弁１１を閉じるように制御する（ステップＳ３６）。これにより、一連の運転停止動作を終了する。
【００６５】
なお、ステップＳ３５のバイパス側開閉弁１２を閉じる動作の前に、ステップＳ３６の開閉弁１１を閉じる動作を行ってもよい。または、開閉弁１１およびバイパス側開閉弁１２を同時に閉めてもよい。開閉弁１１は、徐々に閉じるようにしてもよい。
【００６６】
この制御では、排熱回収システム１の運転停止時に、凝縮器５に導入される作動媒体は、冷却媒体配管８を通って凝縮器５に流入される低温の作動媒体によって冷却される。その結果、排熱回収システム１の運転停止時において凝縮器５が作動媒体の熱によって劣化や破損するおそれを確実に低減することが可能である。
【００６７】
（４）蒸発器２の出口側の作動媒体の圧力が所定の圧力以上の場合における冷却側開閉弁１３を開く制御
蒸発器２によって加熱された作動媒体の温度が所定の温度以上に上昇したときには、当該作動媒体の圧力も所定の圧力以上に上昇する。そこで、この制御では、制御部１０は、作動媒体の温度検出の代わりに、第２圧力検出部１６（蒸発器出口側圧力検出部）による蒸発器２の出口側の作動媒体の圧力検出に基づいて、冷却側開閉弁１３を作動媒体が冷却媒体配管８へ流入可能な状態に切り換える制御を行う。
【００６８】
具体的には、制御部１０は、図７のフローチャートに示されるように、第２圧力検出部１６が作動媒体の圧力Ｐ１について所定の圧力Ｐｍ以上である圧力を検出した場合（ステップＳ４１のＹＥＳの場合）には、制御部１０は、第２圧力検出部１６による作動媒体の所定の圧力Ｐｍ以上の圧力Ｐ１の検出に基づいて、冷却側開閉弁１３を作動媒体が冷却媒体配管８へ流入可能な状態に切り換わるように、当該冷却開閉弁１３を開くように制御する（ステップＳ４２）。これにより、蒸発器２によって加熱される前の低温の作動媒体は、冷却媒体配管８を通って凝縮器５に流入する。その結果、蒸発器２から出た高温の作動媒体が低温の作動媒体によって冷却されるので、凝縮器５が作動媒体の熱によって劣化や破損するおそれを低減することが可能である。
【００６９】
（５）膨張機３の出口側の作動媒体の圧力が所定の圧力以上の場合における冷却側開閉弁１３を開く制御
運転停止時などにおいて蒸発器２によって加熱された高温の作動媒体がバイパス配管９を通る場合など、膨張機３の出口側の作動媒体の温度が所定の温度以上に上昇したときには、当該作動媒体の圧力も所定の圧力以上に上昇する。そこで、この制御では、制御部１０は、作動媒体の温度検出の代わりに、第１圧力検出部１５（膨張機出口側圧力検出部）による膨張機３の出口側の作動媒体の圧力検出に基づいて、冷却側開閉弁１３を作動媒体が冷却媒体配管８へ流入可能な状態に切り換える制御を行う。
【００７０】
具体的には、制御部１０は、図８のフローチャートに示されるように、第１圧力検出部１５が作動媒体の圧力Ｐ２について所定の圧力Ｐｎ以上である圧力を検出した場合（ステップＳ５１のＹＥＳの場合）には、制御部１０は、第１圧力検出部１５による作動媒体の所定の圧力Ｐｎ以上の圧力Ｐ２の検出に基づいて、冷却側開閉弁１３を作動媒体が冷却媒体配管８へ流入可能な状態に切り換わるように、当該冷却開閉弁１３を開くように制御する（ステップＳ５２）。これにより、蒸発器２によって加熱される前の低温の作動媒体は、冷却媒体配管８を通って、凝縮器５に流入される。その結果、蒸発器２から出た高温の作動媒体が低温の作動媒体によって冷却されるので、凝縮器５が作動媒体の熱によって劣化や破損するおそれを低減することが可能である。
【００７１】
なお、膨張機３の入口において緊急停止時に遮断する緊急遮断弁が設けられている場合には、緊急停止時に膨張機３の出口側の圧力検出ができなくなるので、そのような場合には、上記（３）で示されるように制御部１０が蒸発器２の出口側の圧力に基づいて冷却側開閉弁１３を開く制御を行うのが好ましい。
【００７２】
上記実施形態の排熱回収システム１では、図１に示されるように、作動媒体を加熱するための加熱媒体として１種の加熱媒体（例えば蒸気や温水のいずれか１種）を用いて、当該１種の加熱媒体を蒸発器２および予熱器１８へ供給して作動媒体を加熱しているが、本発明はこれに限定されるものではない。本発明のさらに他の実施形態として、図９に示される排熱回収システム１のように、２種の加熱媒体を用いて作動媒体を加熱することが可能な構成でもよい。例えば、図９に示される排熱回収システム１は、第１加熱媒体が供給される蒸発器２と、第１加熱媒体と異なる第２加熱媒体が供給される過熱器１９とを有する。第１加熱媒体は、例えば、空気圧縮手段（エンジンの過給機など）で圧縮された圧縮空気などのガスである。第２加熱媒体は、例えば、蒸気や温水などである。蒸発器２は、圧縮空気などの第１加熱媒体が通過可能な第１流路２ａと、当該第１流路２ａ内を通過して作動媒体が通る第２流路２ｂとを有する構成であればよい。また、過熱器１９は、蒸気などの第２加熱媒体が通過可能な第１流路１９ａと、作動媒体が通る第２流路１９ｂとを有する構成であればよい。さらに、蒸発器２の上流側に作動媒体を予熱するための予熱器を設けてもよい。なお、過熱器１９はなくてもよい。
【符号の説明】
【００７３】
１  排熱回収システム
２  蒸発器
３  膨張機
４  動力回収機
５  凝縮器
６  循環流路
７  循環ポンプ（圧送部）
８  冷却媒体配管
９  バイパス配管
１０  制御部
１２  バイパス側開閉弁（バイパス側開閉部）
１３  冷却側開閉弁（切換部）
１４  温度検出部
１５  第１圧力検出部（膨張機出口側圧力検出部）
１６  第２圧力検出部（蒸発器出口側圧力検出部）
【図１】
0006616235.tif 000002
【図２】
0006616235.tif 000003
【図３】
0006616235.tif 000004
【図４】
0006616235.tif 000005
【図５】
0006616235.tif 000006
【図６】
0006616235.tif 000007
【図７】
0006616235.tif 000008
【図８】
0006616235.tif 000009
【図９】
0006616235.tif 000010